(57)【要約】【課題】  雌型コネクタを確実に嵌合させることができ、これにより、接続端子を雌型コネクタの電極端子に確実に接触させて、前記接続端子と前記電極端子との安定した導通を図る。【解決手段】  雄型接続端子５の凸部側部分５ｂにおける雌型コネクタ７の雌型接続端子９が接触しない部分であって、金からなる第２めっき層１９に、ニッケルからなる第１めっき層１８を露出させる溝部１５を、雄型接続端子５の延設方向と交差する方向に、雄型接続端子５の幅寸法Ｗ１以上の高さ寸法Ｗ２によって形成する。【選択図】      図１
2007012483.tif 000002
【特許請求の範囲】
【請求項１】
基体、前記基体から突出する凸部および前記凸部に沿って設けられた雄型接続端子を有し、
前記雄型接続端子は、ベース導電部材と前記ベース導電部材に積層して設けられた複数のめっき層とを備えており、
前記雄型接続端子における前記凸部側部分には、雌型コネクタの雌型接続端子が接触され、前記雄型接続端子における前記基体側部分には、配線部品の電極端子が導電接続されるようになっている雄型コネクタにおいて、
前記雄型接続端子の所定位置にはんだ這上防止手段が配設され、当該所定位置は、前記雄型接続端子の前記凸部側部分における前記雌型接続端子が接触しない部分であって、前記雄型接続端子の前記基体側部分よりも上方の部分であることを特徴とする雄型コネクタ。
【請求項２】
前記はんだ這上防止手段は、前記複数のめっき層のうち最外めっき層に、前記最外めっき層よりも内側に積層されためっき層を露出させる溝部を、前記雄型接続端子の延設方向と交差する方向に形成したものである請求項１に記載の雄型コネクタ。
【請求項３】
前記複数のめっき層は、最外めっき層が金めっき層であり、前記最外めっき層よりも内側に積層されためっき層がニッケルめっき層である請求項１または２に記載の雄型コネクタ。
【請求項４】
前記はんだ這上防止手段は、前記雄型接続端子の延設方向と交差する方向に所定幅寸法で形成されたものであり、当該所定幅寸法は、前記雄型接続端子の幅寸法以上とされている請求項１、２または３に記載の雄型コネクタ。
【発明の詳細な説明】
【技術分野】
【０００１】
本発明は雄型コネクタに係り、特に、雄型接続端子の一端部が雌型コネクタの雌型接続端子に接触し、他端部が配線部品の電極端子とはんだを介して導電接続される雄型コネクタに関する。
【背景技術】
【０００２】
従来より、例えば配線部品であるプリント基板の電極端子と他の配線部品の電極端子とを電気的に接続する手段として、雄型コネクタおよび雌型コネクタにより電極端子同士を導電接続する手段が知られている。
【０００３】
図４は、従来の雄型コネクタおよび雌型コネクタの一例を示す模式的断面図である。
【０００４】
図４に示すように、雄型コネクタ２１には、平板状の基体２３の一面に基体２３から突出するように凸部２４が設けられている。さらに、基体２３の一面から凸部２４の側面を介して凸部２４の頂面に至るように、凸部２４の外面に沿って複数の雄型接続端子４５が設けられており、各雄型接続端子２４の凸部側部分４５ａは、凸部２４から離間する方向に曲折して延設されている。各雄型接続端子４５は、銅等の導電材料からなるベース導電部材を有し、ベース導電部材の外面には、ニッケルや金等の導電材料からなるめっき層が積層して設けられている。
【０００５】
このプリント基板２２に実装された雄型コネクタ２１には、フレキシブル配線基板等からなる配線部品２８に実装された雌型コネクタ２７が着脱自在に嵌合するようになっている。そして、雄型コネクタ２１においては、雌型コネクタ２７を雄型コネクタ２１に嵌合させることにより、雄型コネクタ２１の各雄型接続端子４５における凸部側部分４５ｂに、雌型コネクタ２７の雌型接続端子４９が接触するようになっており、これによりプリント基板２２の電極端子２５と、雌型接続端子４９の一端部分に導電接続された配線部品２８の電極端子２９とが導電接続されるようになっている。詳しくは、各雄型接続端子４５における基体側部分４５ａは、プリント基板２２に形成された複数の電極端子２５とはんだ３３を介して固着されており、これにより電気的に接続されている。
【０００６】
しかし、前述のような雄型コネクタ２１においては、各雄型接続端子４５における基体側部分４５ａを、はんだ３３を介してプリント基板２２の電極端子２５に固着させる工程において、各雄型接続端子４５の基体側部分４５ａにはんだ３３を配置すると、図４に示すように、はんだ３３は各雄型接続端子４５の外面に濡れ拡がり、各雄型接続端子４５における凸部側部分４５ｂの方向に這い上がってしまうことがあった。特に、各めっき層のうち最外めっき層の構成材料として金が用いられる場合には、はんだ３３が最外めっき層になじみ易く、はんだ３３がより各雄型接続端子４５の凸部側部分４５ｂの方向に這い上がってしまうおそれがあった。
【０００７】
そして、はんだ３３が各雄型接続端子４５における雌型コネクタ２７の雌型接続端子４９が接触する部分にまで這い上がってしまうと、雄型コネクタ２１と雌型コネクタ２７とを確実に嵌合させることができなくなってしまい、この結果、雄型コネクタ２１の各雄型接続端子４５と雌型コネクタ２７の各雌型接続端子４９との接触不良が生じ、安定した導通を図ることができないというおそれがあった。
【発明の開示】
【発明が解決しようとする課題】
【０００８】
本発明はこれらの点に鑑みてなされたものであり、雌型コネクタを確実に嵌合させることができ、これにより、雄型コネクタの雄型接続端子を雌型コネクタの雌型接続端子に確実に接触させて、前記各接続端子同士の安定した導通を図ることができる雄型コネクタを提供することを目的とする。
【課題を解決するための手段】
【０００９】
前記目的を達成するため、請求項１に記載の発明に係る雄型コネクタの特徴は、基体、前記基体から突出する凸部および前記凸部に沿って設けられた雄型接続端子を有し、前記雄型接続端子は、ベース導電部材と前記ベース導電部材に積層して設けられた複数のめっき層とを備えており、前記雄型接続端子における前記凸部側部分には、雌型コネクタの雌型接続端子が接触され、前記雄型接続端子における前記基体側部分には、配線部品の電極端子が導電接続されるようになっている雄型コネクタにおいて、前記雄型接続端子の所定位置にはんだ這上防止手段が配設され、当該所定位置は、前記雄型接続端子の前記凸部側部分における前記雌型接続端子が接触しない部分であって、前記雄型接続端子の前記基体側部分よりも上方の部分である点にある。
【００１０】
この請求項１に記載の発明によれば、雄型コネクタの雄型接続端子における基体側部分にはんだを介して配線部品の電極端子を固着させる工程において、雄型接続端子の基体側部分にはんだを配置した際に、雄型接続端子の外面に濡れ広がり凸部側部分の方向に這い上がったはんだを、はんだ這上防止手段の部分で止めることができる。
【００１１】
また、請求項２に記載の発明に係る雄型コネクタの特徴は、前記はんだ這上防止手段として、前記複数のめっき層のうち最外めっき層に、前記最外めっき層よりも内側に積層されためっき層を露出させる溝部を、前記雄型接続端子の延設方向と交差する方向に形成した点にある。
【００１２】
この請求項２に記載の発明によれば、雄型コネクタの雄型接続端子における基体側部分にはんだを介して配線部品の電極端子を固着させる工程において、雄型接続端子の基体側部分にはんだを配置した際に、雄型接続端子の外面に濡れ広がり凸部側部分の方向に這い上がったはんだを、内側のめっき層が露出されている溝部において停止させることができる。ここで、溝部は、雄型接続端子における雌型接続端子に接触しない部分に、雄型接続端子の延設方向と交差する方向に形成されているので、はんだが各雄型接続端子における雌型コネクタの雌型接続端子が接触する部分にまで這い上がってしまうことを防止することができる。
【００１３】
また、請求項３に記載の発明に係る雄型コネクタの特徴は、前記複数のめっき層のうち最外めっき層が金めっき層であり、前記最外めっき層よりも内側に積層されためっき層がニッケルめっき層である点にある。
【００１４】
この請求項３に記載の発明によれば、溝部において露出されているニッケルめっき層はニッケルにより構成されており、ニッケルは金めっき層を構成している金と比較してはんだとなじみづらいので、溝部においてより確実にはんだの這い上がりを防止することができる。
【００１５】
さらに、請求項４に記載の発明に係る雄型コネクタの特徴は、前記はんだ這上防止手段が、前記雄型接続端子の延設方向と交差する方向に所定幅寸法で形成されたものであり、当該所定幅寸法は、前記雄型接続端子の幅寸法以上とされている点にある。
【００１６】
この請求項４に記載の発明によれば、溝部などのはんだ這上防止手段の幅寸法が、前記雄型接続端子の幅寸法以上とされているので、はんだの這い上がりを溝部などのはんだ這上防止手段において確実に停止させることができる。これにより、各雄型接続端子における雌型コネクタの雌型接続端子が接触する部分にまではんだが這い上がってしまうことを防止することができる。
【発明の効果】
【００１７】
以上述べたように、本発明に係る雄型コネクタによれば、はんだ這上防止手段は、各雄型接続端子における雌型コネクタの電極端子に接触しない部分に形成されているので、はんだが各雄型接続端子における雌型コネクタの雌型接続端子が接触する部分にまで這い上がってしまうことを防止することができる。これにより、雄型コネクタと雌型コネクタとを確実に嵌合させることができ、雄型コネクタの各雄型接続端子と雌型コネクタの各雌型端子との接触不良を防止し、安定した導通を図ることができる。
【発明を実施するための最良の形態】
【００１８】
以下、本発明に係る雄型コネクタの一実施形態を図１から図３を参照して説明する。
【００１９】
ここで、本実施形態においては、プリント基板に形成されている雄型コネクタを用いて説明するが、本発明は、これに限定されるものではない。
【００２０】
図１は、本実施形態に係る雄型コネクタおよびこの雄型コネクタに装着される雌型コネクタを示す模式的断面図である。
【００２１】
図１に示すように、本実施形態に係る雄型コネクタ１は、プリント基板２における平板状の基体３の一面に形成されており、雄型コネクタ１には、基体３の一面に基体３から突出するように直方体状の凸部４が設けられている。
【００２２】
また、雄型コネクタ１には、基体３の一面から凸部４の側面を介して凸部４の頂面にいたるように、複数の雄型接続端子５が凸部４の外面に沿って凸部４の長さ方向に並列配置して設けられており、各雄型接続端子５の基体側部分５ａは、凸部４から離間する方向に曲折して延設されている。
【００２３】
このプリント基板２の雄型コネクタ１には、フレキシブル配線基板等からなる配線部品８に実装された雌型コネクタ７が着脱自在に嵌合するようになっており、雌型コネクタ７の雌型接続端子９の一端部分は、配線部品８の電極端子１０に導電接続されている。そして、このような雄型コネクタ１においては、雌型コネクタ７を雄型コネクタ１に嵌合させることにより、各雄型接続端子５における凸部側部分５ｂに、雌型コネクタ７の雌型接続端子９が接触するようになっており、これによりプリント基板２の雄型接続端子５と配線部品８の雌型接続端子９とが導電接続されるようになっている。
【００２４】
また、各雄型接続端子５における基体側部分５ａには、他のフレキシブル配線基板等からなる配線部品１１に形成された複数の電極端子１２がはんだ１３を介して固着されるようになっており、これにより各雄型接続端子５と配線部品１１の各電極端子１２とは、電気的に接続されるようになっている。
【００２５】
また、図２に示すように、雄型コネクタ１の各雄型接続端子５は、銅等の導電材料からなるベース導電部材１７を有し、ベース導電部材１７の外面には、ベース導電部材１７を被覆するように、ニッケル等の導電材料からなる第１めっき層１８が形成されている。さらに、ベース導電部材１７の外面には、第１めっき層１８に積層して金等の導電材料からなる第２めっき層１９が形成されている。
【００２６】
各雄型接続端子５の凸部側部分５ｂにおける雌型コネクタ７の雌型接続端子９が接触しない部分であって、各めっき層のうち最外めっき層である第２めっき層１９には、第１めっき層１８を露出させる溝部１５が形成されている。
【００２７】
この溝部１５は、図３に示すように、雄型接続端子５における側面の全周に、雄型接続端子５の延設方向と交差、好ましくは直交する方向に形成されている。なお、本実施形態においては、溝部１５は雄型接続端子５の全周に形成されているが、これに限定されるものではなく、少なくとも、各雄型接続端子５における凸部４に接触していない部分に形成されていればよい。
【００２８】
また、この溝部１５は、雄型接続端子５の延設方向と交差する方向に所定の幅寸法Ｗ２で形成され、所定の幅寸法Ｗ２は、各雄型接続端子５の幅寸法Ｗ１以上とされており、例えば、０．１ｍｍの幅寸法Ｗ２によって形成されている。
【００２９】
そして、この溝部１５は、所定の部分をマスキングしながら各雄型接続端子５の第１めっき層１８上に第２めっき層１９を積層することにより、形成されるようになっている。
【００３０】
次に、本実施形態の作用について説明する。
【００３１】
本実施形態によれば、雄型コネクタ１の各雄型接続端子５における基体側部分５ａに、はんだ１３を介して配線部品１１の電極端子１２を固着させる工程において、各雄型接続端子５の基体側部分５ａにはんだ１３を配置した際、各雄型接続端子５の外面に濡れ広がって凸部側部分５ｂの方向に這い上がったはんだ１３を、第１めっき層１８が露出されている溝部１５において停止させることができる。ここで、溝部１５は、各雄型接続端子５における雌型コネクタ７の雌型接続端子９に接触しない部分に、雄型接続端子５の延設方向と直交する方向に形成されているので、はんだ１３が各雄型接続端子５における雌型コネクタ７の雌型接続端子９が接触する部分にまで這い上がってしまうことを防止することができる。
【００３２】
したがって、雄型コネクタ１と雌型コネクタ７とを確実に嵌合させることができ、雄型コネクタ１の各雄型接続端子５と雌型コネクタ７の各雌型接続端子９との接触不良を防止し、安定した導通を図ることができる。
【００３３】
また、溝部１５において露出されている第１めっき層１８はニッケルにより構成されており、ニッケルは第２めっき層１９を構成している金と比較してはんだ１３となじみづらいので、溝部１５においてはんだ１３の這い上がりを効率的に防止することができる。
【００３４】
さらに、溝部１５は、雄型接続端子５の幅寸法Ｗ１以上の幅寸法Ｗ２によって形成されており、これにより、はんだ１３の這い上がりを溝部１５において確実に停止させることができ、これにより、各接続端子５における雌型コネクタ７の雌型接続端子９が接触する部分にまではんだ１３が這い上がってしまうことを防止することができる。
【００３５】
なお、本発明は前記実施形態に限定されるものではなく、必要に応じて種々変更することが可能である。
【００３６】
例えば、本実施形態においては、雄型接続端子５の複数のめっき層として、ニッケル等からなる第１めっき層１８と金等からなる第２めっき層１９とを用いて説明しているがこれに限定されるものではなく、複数層であればよく、また、めっき層の構成材料も本実施形態に限定されない。
【図面の簡単な説明】
【００３７】
【図１】本発明に係る雄型コネクタおよびこの雄型コネクタに嵌合される雌型コネクタの一実施形態を示す模式的断面図
【図２】図１の雄型コネクタの接続端子の要部を示す模式的断面図
【図３】図１の雄型コネクタの接続端子における要部を示す模式的斜視図
【図４】従来の雄型コネクタおよび雌型コネクタの一例を示す模式的断面図
【符号の説明】
【００３８】
１  雄型コネクタ
２  プリント基板
３  基体
４  凸部
５  雄型接続端子
５ａ  基体側部分
５ｂ  凸部側部分
７  雌型コネクタ
８  配線部品
９  雌型接続端子
１１  配線部品
１２  電極端子
１３  はんだ
１５  溝部
１７  ベース導電部材
１８  第１めっき層
１９  第２めっき層
【図１】
2007012483.tif 000003
【図２】
2007012483.tif 000004
【図３】
2007012483.tif 000005
【図４】
2007012483.tif 000006